(57)【要約】【課題】使用後に空となった飲料ディスペンサ用カートリッジ容器を効率よく運送できるようにすることである。【解決手段】飲料ディスペンサ用カートリッジ容器１の底部２、側壁部３および排出口４を含む肩部５をポリエチレン樹脂で一体に形成し、側壁部３の肉厚を薄くして柔軟性を持たせることにより、側壁部３を折り畳み可能として、使用後に空となったカートリッジ容器１を効率よく運送できるようにした。【選択図】図２
2006103758.tif 000002
【特許請求の範囲】
【請求項１】
底部と側壁部と飲料の排出口が設けられた肩部とから成り、前記排出口を下向きにして飲料ディスペンサの上向きの供給口に接続されて、充填された飲料を飲料ディスペンサに供給する飲料ディスペンサ用カートリッジ容器において、少なくとも前記側壁部に柔軟性を持たせて、側壁部を折り畳み可能としたことを特徴とする飲料ディスペンサ用カートリッジ容器。
【請求項２】
前記底部、側壁部および排出口を含む肩部を同一の熱可塑性樹脂で一体に形成し、少なくとも前記側壁部の肉厚を薄くして柔軟性を持たせるようにした請求項１に記載の飲料ディスペンサ用カートリッジ容器。
【請求項３】
前記底部に把手を設けた請求項１または２に記載の飲料ディスペンサ用カートリッジ容器。
【請求項４】
前記排出口を含む肩部に剛性を持たせた請求項１乃至３のいずれかに記載の飲料ディスペンサ用カートリッジ容器。
【請求項５】
前記底部に剛性を持たせ、その外周部に前記側壁部の外方へ張り出す鍔または複数の爪を設けた請求項１乃至４のいずれかに記載の飲料ディスペンサ用カートリッジ容器。
【請求項６】
飲料ディスペンサの上面へ、その上向きの供給口に前記排出口が接続される請求項５に記載の飲料ディスペンサ用カートリッジ容器を囲うように載置される枠体とされ、前記カートリッジ容器の側壁部の外方へ張り出す鍔または複数の爪が、この枠体の上端に係止されるようにした飲料ディスペンサ用カートリッジ容器の支持具。
【発明の詳細な説明】
【技術分野】
【０００１】
本発明は、飲料ディスペンサ用カートリッジ容器とその支持具に関する。
【背景技術】
【０００２】
飲料水やジュース等の飲料ディスペンサには、飲料を充填したカートリッジ容器を用い、その上面に上向に設けられた飲料の供給口に、カートリッジ容器の肩部に設けられた飲料の排出口を下向きにして接続するようにしたものがある。
【０００３】
この種の飲料ディスペンサに用いられている従来のカートリッジ容器は、底部、側壁部および飲料の排出口が設けられた肩部の全体に剛性を持たせて合成樹脂等で形成され、使用後に空となったカートリッジ容器は、再使用されるものと、使い捨てにされるものとがある。
【発明の開示】
【発明が解決しようとする課題】
【０００４】
上述した従来の飲料ディスペンサ用カートリッジ容器は、全体に剛性を持たせて形成されているので、使用後に再使用や廃棄のために運送するのに嵩張り、運送効率が悪い問題がある。
【０００５】
そこで、本発明の課題は、使用後に空となった飲料ディスペンサ用カートリッジ容器を効率よく運送できるようにすることである。
【課題を解決するための手段】
【０００６】
上記の課題を解決するために、本発明の飲料ディスペンサ用カートリッジ容器は、底部と側壁部と飲料の排出口が設けられた肩部とから成り、前記排出口を下向きにして飲料ディスペンサの上向きの供給口に接続されて、充填された飲料を飲料ディスペンサに供給する飲料ディスペンサ用カートリッジ容器において、少なくとも前記側壁部に柔軟性を持たせて、側壁部を折り畳み可能とした構成を採用した。
【０００７】
すなわち、少なくとも側壁部に柔軟性を持たせて、側壁部を折り畳み可能とすることにより、使用後に空となった飲料ディスペンサ用カートリッジ容器を効率よく運送できるようにした。
【０００８】
前記底部、側壁部および排出口を含む肩部を同一の熱可塑性樹脂で一体に形成し、少なくとも前記側壁部の肉厚を薄くして柔軟性を持たせることにより、カートリッジ容器を安価で効率よく製造することができる。
【０００９】
前記底部に把手を設けることにより、この把手を持ってカートリッジ容器を下向きにし、その排出口を飲料ディスペンサの供給口に容易に接続することができる。
【００１０】
前記排出口を含む肩部に剛性を持たせることにより、排出口を飲料ディスペンサの供給口に接続する際の排出口の逃げを防止することができる。
【００１１】
前記底部に剛性を持たせ、その外周部に前記側壁部の外方へ張り出す鍔または複数の爪を設けることにより、この鍔または複数の爪を周囲に設けた枠等に引っ掛けて係止し、使用中のカートリッジ容器の型崩れを防止することができる。
【００１２】
また、本発明の飲料ディスペンサ用カートリッジ容器の支持具は、飲料ディスペンサの上面へ、その上向きの供給口に排出口が接続される飲料ディスペンサ用カートリッジ容器を囲うように載置される枠体とし、前記カートリッジ容器の側壁部の外方へ張り出す鍔または複数の爪が、この枠体の上端に係止されるようにしたので、使用中のカートリッジ容器の型崩れを防止することができる。
【発明の効果】
【００１３】
本発明の飲料ディスペンサ用カートリッジ容器は、底部と側壁部と飲料の排出口が設けられた肩部とから成り、少なくとも側壁部に柔軟性を持たせて、側壁部を折り畳み可能としたので、使用後に空となった飲料ディスペンサ用カートリッジ容器を効率よく運送することができる。
【００１４】
前記底部、側壁部および排出口を含む肩部を同一の熱可塑性樹脂で一体に形成し、少なくとも側壁部の肉厚を薄くして柔軟性を持たせることにより、カートリッジ容器を安価で効率よく製造することができる。
【００１５】
前記底部に把手を設けることにより、この把手を持ってカートリッジ容器を下向きにし、その排出口を飲料ディスペンサの供給口に容易に接続することができる。
【００１６】
前記排出口を含む肩部に剛性を持たせることにより、排出口を飲料ディスペンサの供給口に接続する際の排出口の逃げを防止することができる。
【００１７】
前記底部に剛性を持たせ、その外周部に側壁部の外方へ張り出す鍔または複数の爪を設けることにより、この鍔または複数の爪を周囲に設けた枠等に引っ掛けて係止し、使用中のカートリッジ容器の型崩れを防止することができる。
【００１８】
また、本発明の飲料ディスペンサ用カートリッジ容器の支持具は、飲料ディスペンサの上面へ、その上向きの供給口に排出口が接続される飲料ディスペンサ用カートリッジ容器を囲うように載置される枠体とし、前記カートリッジ容器の側壁部の外方へ張り出す鍔または複数の爪が、この枠体の上端に係止されるようにしたので、使用中のカートリッジ容器の型崩れを防止することができる。
【発明を実施するための最良の形態】
【００１９】
以下、図面に基づき、この発明の実施形態を説明する。図１および図２に示すように、この飲料ディスペンサ用カートリッジ容器１は角形のボトル状とされ、底部２、側壁部３および飲料の排出口４が設けられた肩部５が、熱可塑性樹脂であるポリエチレン樹脂で一体に形成され、排出口４には、内部に充填される飲料水やジュース等の飲料を封止するキャップ６が取り付けられている。また、底部２と排出口４を含む肩部５は、剛性を持たせるように肉厚を厚くされ、底部２には把手７が取り付けられるとともに、その外周部に側壁部３の外方へ張り出す鍔８が設けられている。
【００２０】
前記側壁部３の肉厚は薄く形成され、図３に示すように、使用後に空となったカートリッジ容器１は、側壁部３がコンパクトに折り畳まれて、再使用や廃棄のために効率よく運送できるようになっている。
【００２１】
図４は、前記カートリッジ容器１を飲料ディスペンサ１０にセットした状態を示す。飲料ディスペンサ１０の上面には上向きの飲料の供給口１１が設けられ、供給口１１の周りでカートリッジ容器１を囲うように、本発明に係るカートリッジ容器１の支持具１３が載置されている。
【００２２】
図４および図５に示すように、前記支持具１３は、カートリッジ容器１よりも僅かに大きい角形の枠体とされ、飲料ディスペンサ１０に載置される基部１４と、カートリッジ容器１の肩部５を受ける受け部１５とが設けられている。また、枠体の一側面には、内部にセットされるカートリッジ容器１の水位が見えるように、窓１６が設けられている。
【００２３】
前記カートリッジ容器１を飲料ディスペンサ１０にセットする際には、把手７を持ってカートリッジ容器１の排出口４を下向きにし、側壁部３を支持具１３の枠体に沿わせて下げ降ろし、排出口４を飲料ディスペンサ１０の供給口１１に接続するとともに、底部２の鍔８を支持具１３の上端に引っ掛けて係止する。したがって、側壁部３が柔軟であっても、使用中のカートリッジ容器１が型崩れすることはない。
【００２４】
前記カートリッジ容器１の排出口４が飲料ディスペンサ１０の供給口１１に接続されるときには、供給口１１に設けられた突起部１２でキャップ６が突き破られて、内部の飲料が供給口１１に流出するが、排出口４を含む肩部５は厚肉で十分な剛性を有するので、キャップ６が突き破られるときに排出口４が上方へ逃げることはない。
【００２５】
図６は、前記カートリッジ容器１の変形例を示す。この変形例は、前記鍔８の替りに、側壁部３の外方へ張り出す複数の爪９が底部２に設けられている点のみが異なる。これらの爪９は、鍔８と同様に、支持具１３の上端に引っ掛けて係止される。
【００２６】
上述した実施形態では、カートリッジ容器を角形のボトル状ものとし、ポリエチレン樹脂で一体に形成したが、カートリッジ容器の形状は丸形のボトル状等、任意の形状とすることができ、その素材もポリエチレン樹脂に限定されることはない。
【００２７】
また、上述した実施形態では、カートリッジ容器の側壁部のみを薄肉に形成して柔軟性を持たせたが、底部と肩部の一部も薄肉に形成して柔軟性を持たせてもよい。
【図面の簡単な説明】
【００２８】
【図１】飲料ディスペンサ用カートリッジ容器の実施形態を示す外観斜視図
【図２】図１の縦断面図
【図３】図１のカートリッジ容器を折り畳んだ状態を示す外観斜視図
【図４】図１のカートリッジ容器を飲料ディスペンサにセットした状態を示す縦断面図
【図５】図４の本発明に係る支持具を示す外観斜視図
【図６】図１のカートリッジ容器の変形例を示す外観斜視図
【符号の説明】
【００２９】
１  カートリッジ容器
２  底部
３  側壁部
４  排出口
５  肩部
６  キャップ
７  把手
８  鍔
９  爪
１０  飲料ディスペンサ
１１  供給口
１２  突起部
１３  支持具
１４  基部
１５  受け部
１６  窓
【図１】
2006103758.tif 000003
【図２】
2006103758.tif 000004
【図３】
2006103758.tif 000005
【図４】
2006103758.tif 000006
【図５】
2006103758.tif 000007
【図６】
2006103758.tif 000008